(57)【要約】      （修正有）【課題】足関節内反捻挫を確実に防止することができ、且つ装着しても通常の靴を履くことができる足関節内側支持部材を提供する。【解決手段】足関節内果部の上方脛骨部の周方向に湾曲し、脛骨部に押圧固定される押圧固定部１１と、外側に膨らんだ内果部収容部１２と、足関節内果部の下方に連なる距骨部、舟状骨部および、踵骨部を圧迫する圧迫部１３と、足底部に回り込む屈曲端部１４と、を備えた板状一体の支持本体１０と、支持本体１０を頸骨部に固定する面ファスナーと、足底部を通り脛骨部まで延びる足底ベルト１６と、該脛骨部に巻き付いて他端部が面ファスナーに着脱可能に取り付けられる前側ベルト１７ａと、足首の後側から足底ベルト１６の他端部を前記脛骨部とで挟持するように該脛骨部に巻き付いて取り付けられる後側ベルト１７ｂとを有し、足関節内反捻挫を抑制することを特徴とする。【選択図】図７
0003185991.tif 000002
【実用新案登録請求の範囲】
【請求項１】
足関節内果部の上方脛骨部の周方向に湾曲し、該脛骨部に押圧固定される押圧固定部と、
前記押圧固定部から下方に一体的に延在し、前記足関節内果部を圧迫しないように外側に膨らんだ内果部収容部と、
前記内果部収容部から下方に一体的に延在し、前記足関節内果部の下方に連なる距骨部、舟状骨部および、踵骨部を圧迫する圧迫部と、
前記圧迫部から下方に一体的に延在し、足底部に回り込む屈曲端部と、を備えた硬くて弾性のある板状一体の支持本体と、
前記押圧固定部及び或いは前記内果部収容部の外側面に固定され、前記支持本体を前記頸骨部に固定する面ファスナーと、
前記屈曲端部の外側面に一端部が取り付けられ足底部を通り脛骨部まで延びる足底ベルトと、
前記圧迫部の外側面に一端部が取り付けられ足首の前側から前記足底ベルトの他端部を前記脛骨部とで挟持するように該脛骨部に巻き付いて他端部が前記面ファスナーに着脱可能に取り付けられる前側ベルトと、
前記圧迫部の外側面に一端部が取り付けられ前記足首の後側から前記足底ベルトの他端部を前記脛骨部とで挟持するように該脛骨部に巻き付いて他端部が前記面ファスナーに着脱可能に取り付けられる後側ベルトとを有し、足関節内反捻挫を抑制することを特徴とする足関節内側支持部材。
【請求項２】
前記押圧固定部は前記脛骨部側の内面に軟質のパッドを有することを特徴とする請求項１に記載の足関節内側支持部材。
【考案の詳細な説明】
【技術分野】
【０００１】
本考案は、足関節を保護するための支持部材に関し、詳しくは足関節内反捻挫の発生や再発を防止するための支持部材に関する。
【背景技術】
【０００２】
足関節部位の傷害には種々のものがあるが、最も多いのは捻挫である。捻挫には、足首を内側に捻り、その結果外側の靱帯が伸びて損傷する内反捻挫と、足首を外側に捻る外反捻挫とがある。そして、内反捻挫と外反捻挫とでは、足関節の構造上、内反捻挫が圧倒的に多い。
【０００３】
これまで、足関節サポーター（装具）が種々開発されている。その一つとして、例えば、足関節周囲を覆う筒状体、筒状体の左右側方に固定された硬性支持板、一方の支持板から足底部を通り他方の支持板まで延びる足底ベルトを備えた装具がある（例えば、特許文献１参照。）。
【先行技術文献】
【特許文献】
【０００４】
【特許文献１】特開２０００−１０２５５３号公報
【考案の概要】
【考案が解決しようとする課題】
【０００５】
足関節は、図１１（右足前面図）、図１２（右足後面図）及び図１３（右足背図）に示すように、脛骨５１の内果５０及び腓骨５３の外果５２の下方に連なる距骨５４、舟状骨５５及び踵骨５６を含み、各骨が靱帯で結びついている。
【０００６】
足関節は、上記のような構造をしているため、背屈時（つま先を上げた状態で）は骨で支持され、充分な安定性が得られる。しかし、底屈時（つま先を下げた状態で）は、支持性が弱くなり、関節は緩みを生じ、内旋・内転位に傾き易くなる。そのため、この底屈状態のまま、着地してしまうと、足関節は必然的に内反を強制されることになり、足関節の内返し（距骨５４から舟状骨５５、楔状骨５７と前方に繋がる軸線Ｌ1が関節中心Ｏの回りに矢印Ａ方向に旋回すること（図１３参照。））が起こる。足関節が内反すると、距骨５４から舟状骨５５、踵骨５６と下方に繋がる軸線Ｌ2は関節中心Ｏの回りに矢印Ｂ方向に旋回して（図１２参照。）外側側副靱帯（距骨５４と腓骨５３を繋ぐ靱帯、踵骨５６と腓骨５３を繋ぐ靱帯、不図示）や二分靱帯（踵骨５６と舟状骨５５を繋ぐ靱帯、不図示）を損傷して内反捻挫を起こすことになる。
【０００７】
上記従来の足関節サポーターは、内側に支持部材を有しているが、これらの支持部材は、その下端が足関節内果下端を越えないか、越えても形状が平坦で下方に真っ直ぐ延びるだけである。従来の支持部材を有するサポーターでは、ベルトを締める力で内反を制限しているが、ベルトを締める力には限界があり、足関節内反捻挫を確実に防止することかできない。
【０００８】
また、上記従来のサポーターは足関節周囲を覆う筒状体と、筒状体の左右側方に固定された硬性支持板を有するので、サポーターを装着して通常の靴を履くことができない。
【０００９】
本考案は、上記従来のサポーターの問題に鑑みてなされたもので、足関節内反捻挫を確実に防止することができ、且つ装着しても通常の靴を履くことができる足関節内側支持部材を提供することを課題とする。
【課題を解決するための手段】
【００１０】
本考案の足関節内側支持部材は、足関節内果部の上方脛骨部の周方向に湾曲し、該脛骨部に押圧固定される押圧固定部と、
前記押圧固定部から下方に一体的に延在し、前記足関節内果部を圧迫しないように外側に膨らんだ内果部収容部と、
前記内果部収容部から下方に一体的に延在し、前記足関節内果部の下方に連なる距骨部、船状骨部および、踵骨部を圧迫する圧迫部と、
前記圧迫部から下方に一体的に延在し、足底部に回り込む屈曲端部と、を備えた硬くて弾性のある板状一体の支持本体と、
前記押圧固定部及び或いは前記内果部収容部の外側面に固定され、前記支持本体を前記頸骨部に固定する面ファスナーと、
前記屈曲端部の外側面に一端部が取り付けられ足底部を通り脛骨部まで延びる足底ベルトと、
前記圧迫部の外側面に一端部が取り付けられ足首の前側から前記足底ベルトの他端部を前記脛骨部とで挟持するように該脛骨部に巻き付いて他端部が前記面ファスナーに着脱可能に取り付けられる前側ベルトと、
前記圧迫部の外側面に一端部が取り付けられ前記足首の後側から前記足底ベルトの他端部を前記脛骨部とで挟持するように該脛骨部に巻き付いて他端部が前記面ファスナーに着脱可能に取り付けられる後側ベルトとを有し、足関節内反捻挫を抑制することを特徴とする。
【００１１】
上記、足関節内側支持部材において、前記押圧固定部は前記脛骨部側の内面に軟質のパッドを持つとよい。
【考案の効果】
【００１２】
本考案の足関節内側支持部材を足関節にベルト等で固定すると、内果部が内果収容部に収容されるので、内果収容部の下方に延在する圧迫部が外側に開くことなく距骨部、舟状骨部及び踵骨部を圧迫して距骨部と踵骨部の内反を阻止し、舟状骨部の内側移動を内側から阻止する。さらに、足底部に回り込む屈曲端部で踵骨部の下方への移動を阻止するので、内反捻挫を確実に防止することができる。また、本考案の足関節内側支持部材の支持本体は、板状であるため、通常の靴を履いてもかさばらない。
【００１３】
押圧固定部が脛骨部側の内面に装着される軟質のパッドを持つと、足関節内側支持部材をベルト等で固定しても位置ずれすることがなく且つ装着による痛みがない。
【００１４】
本考案の足関節内側支持部材は、押圧固定部及び或いは内果部収容部の外側面に固定された面ファスナーと、屈曲端部の外側面に一端が取り付けられ足底部を通り脛骨部まで延びる足底ベルトと、圧迫部の外側面に一端が取り付けられ足首の前側から足底ベルトの他端部を前記脛骨部とで狭持するように脛骨部に巻き付いて他端部が前記面ファスナーに着脱可能に取り付けられる前側ベルトと、圧迫部の外側面に一端が取り付けられ足首の後側から足底ベルトの他端部を脛骨部とで狭持するように脛骨部に巻き付いて他端部が前記面ファスナーに着脱可能に取り付けられる後側ベルトと、を有しているので、圧迫部に上向きと内向きの力が作用する。その結果、圧迫部は距骨部、舟状骨部及び踵骨部を確実に圧迫して内反を阻止し、屈曲端部は踵骨部の下方への移動を確実に阻止する。
【図面の簡単な説明】
【００１５】
【図１】実施例の足関節内側支持部材の支持本体の斜視図である。
【図２】図１におけるＩ−Ｉ線断面図である。
【図３】足関節内側支持部材の支持本体を右足関節に装着した様子を模式的に示す前面図である。
【図４】足関節内側支持部材の支持本体を右足関節に装着した様子を模式的に示す後面図である。
【図５】実施例の足関節内側支持部材の支持本体の写真である。
【図６】実施例の足関節内側支持部材の支持本体を左足関節に装着した様子を示す写真である。
【図７】実施例の足関節内側支持部材の斜視図である。
【図８】図７におけるＩ−Ｉ線断面図である。
【図９】足関節内側支持部材を左足関節に装着した様子を示す写真である。
【図１０】足関節内側支持部材を左足関節に装着した様子を示す写真である。
【図１１】足関節の骨格図（右足前面図）である。
【図１２】足関節の骨格図（右足後面図）である。
【図１３】足部の骨格図（足背図）である。
【考案を実施するための形態】
【００１６】
以下、本考案の実施例を図面を参照して説明する。
【実施例】
【００１７】
図１は、本実施例の足関節内側支持部材の支持本体の斜視図、図２は、図１におけるＩ−Ｉ線断面図である。図３及び図４は、足関節内側支持部材の支持本体を右足関節に装着した様子を模式的に示す図である。図５は足関節内側支持部材の支持本体の写真、図６は足関節内側支持部材の支持本体を左足関節に装着した様子を示す写真である。
【００１８】
実施例の足関節内側支持部材１０は、図１〜図４に示すように、足関節内果部５０の上方脛骨部５１の周方向に湾曲し、脛骨部５１に押圧固定される押圧固定部１１と、押圧固定部１１から下方に延在し、足関節内果部５０を圧迫しないように外側に膨らんだ内果部収容部１２と、内果部収容部１２から下方に延在し、足関節内果部５０の下方に連なる距骨部５４、舟状骨部５５及び踵骨部５６を圧迫する圧迫部１３と、圧迫部１３から下方に延在し、足底部に回り込む屈曲端部１４と、を備えている。また、押圧固定部１１は、脛骨部５１側の内面に軟質のパッド１１aを備えている。
【００１９】
足関節内側支持部材１０は、硬くて弾性を有する板状をしており、例えば、繊維に熱可塑性樹脂を含浸させて成形して作られる。
【００２０】
パッド１１aは、例えば、ウレタン発泡体である。
【００２１】
次に足関節内側支持部材１０の作用を説明する。図６に示すように、内果部収容部１２に内果部５０が収容されるように、足関節内側に足関節内側支持部材１０を配置し、粘着性テープで足首に固定する。すると、図３及び図４に示すように、押圧固定部１１が脛骨部５１を内側から押圧し、圧迫部１３が距骨部５４、舟状骨部５５及び踵骨部５６を内側から圧迫し、屈曲端部１４が踵骨部５６を下側から圧迫する。したがって、圧迫部１３が距骨部５４と踵骨部５６の内反を阻止し、舟状骨部５５の内側移動を阻止する。また、足関節内側支持部材１０は、板状であるため、通常の靴を履いてもかさばらない。
【００２２】
図７は、本実施例の足関節内側支持部材の斜視図、図８は、図７におけるＩ−Ｉ線断面図である。図９及び図１０は、足関節内側支持部材を左足関節に装着した様子を示す写真である。なお、同一の構成要素には同一の符号を付し、説明を省略する。
【００２３】
実施例の足関節内側支持部材２０は、図７及び図８に示すように、実施例１の足関節内側支持部材１０と、押圧固定部１１及び内果部収容部１２の外側面に固定された面ファスナー１５と、屈曲端部１４の外側面に一端部が取り付けられ足底部を通り脛骨部５１まで延びる足底ベルト１６と、圧迫部１３の外側面に一端部が取り付けられ足首の前側から足底ベルト１６の他端部を脛骨部５１とで狭持するように脛骨部５１に巻き付いて他端部が面ファスナー１５に着脱可能に取り付けられる前側ベルト１７aと、圧迫部１３の外側面に一端部が取り付けられ足首の後側から足底ベルト１６の他端部を脛骨部５１とで狭持するように脛骨部５１に巻き付いて他端部が面ファスナー１５に着脱可能に取り付けられる後側ベルト１７bと、を有している。
【００２４】
押圧固定部１１とパッド１１aの間には面ファスナー１１bが介装されており、使用する人の体型により異なるパッドを選定して装着したり、装着位置を調整したりすることができる。
【００２５】
足底ベルト１６は、一端部がカシメピン１８aで屈曲端部１４の幅方向中央に固定されている。
【００２６】
前側ベルト１７a及び後側ベルト１７bは、一端部がカシメピン１８bで圧迫部１３の幅方向中央に略Ｖ字状部を形成するように固定されている。
【００２７】
次に、足関節内側支持部材２０の使用方法を説明する。図９に示すように、先ず、内果部収容部１２に内果部５０が収容されるように、足関節内側に足関節内側支持部材２０が配置される。次いで、足底ベルト１６が足底を通るように足底を経由させられ、その自由端部が脛骨部５１の外側面に押しつけられる。次いで、前側ベルト１７aが足首の前側を通るように足首の前側を経由させられ、足底ベルト１６の他端部が脛骨部５１とで狭持されるように脛骨部５１に巻き付けられ（図１０参照。）、その他端部が面ファスナー１５に着脱可能に取り付けられる。最後に、後側ベルト１７bが足首の後側を通るように足首の後側を経由させられ、足底ベルト１６の他端部が脛骨部５１とで狭持されるように脛骨部５１に巻き付けられ（図１０参照。）、その他端部が面ファスナー１５に着脱可能に取り付けられる。
【００２８】
上記のように、圧迫部１３が略Ｖ字状部を形成する前側ベルト１７aと後側ベルト１７bとで足関節に固定されるので、圧迫部１３には略Ｖ字状部を形成する前側ベルト１７aと後側ベルト１７bとで上向きと内向きの力（足関節の内側から外側への力）が作用する。また、屈曲端部１４は、足底ベルト１６で上方に引っ張られるので、屈曲端部１４には上向きの力が作用する。したがって、圧迫部１３が距骨部５４、舟状骨部５５及び踵骨部５６を内側から効果的に圧迫し、屈曲端部１４が踵骨部５６を下側から効果的に圧迫する。その結果、圧迫部１３が距骨部５４と踵骨部５６の内反を確実に阻止し、舟状骨部５５の内側移動を確実に阻止する。また、足関節内側支持部材１０は、板状であるため、通常の靴を履いてもかさばらない。
【符号の説明】
【００２９】
１０・・・・・足関節内側支持部材の支持本体
１１・・・・・押圧固定部
１１a・・・・・パッド
１２・・・・・内果部収容部
１３・・・・・圧迫部
１４・・・・・屈曲端部
１５・・・・・面ファスナー
１６・・・・・足底ベルト
１７a・・・・・前側ベルト
１７b・・・・・後側ベルト
２０・・・・・足関節内側支持部材
【図１】
0003185991.tif 000003
【図２】
0003185991.tif 000004
【図３】
0003185991.tif 000005
【図４】
0003185991.tif 000006
【図７】
0003185991.tif 000007
【図８】
0003185991.tif 000008
【図１１】
0003185991.tif 000009
【図１２】
0003185991.tif 000010
【図１３】
0003185991.tif 000011
【図５】
0003185991.tif 000012
【図６】
0003185991.tif 000013
【図９】
0003185991.tif 000014
【図１０】
0003185991.tif 000015